(57)【特許請求の範囲】
【請求項１】
撮像装置と、無線通信装置と、を含む通信システムであって、
前記無線通信装置は、
前記撮像装置と無線通信する第１の無線通信手段と、
第１の表示部と、
前記第１の無線通信手段による無線通信を介して前記撮像装置に記憶されている撮像画像のリストを取得する取得手段と、
前記取得手段により前記撮像装置から取得した前記撮像画像リストから選択された撮像画像を、前記第１の無線通信手段による無線通信を介して前記撮像装置に要求する要求手段と、
前記要求手段による要求に応答して前記撮像装置から送信された撮像画像を前記第１の無線通信手段による無線通信を介して受信する第１の受信手段と、
前記撮像装置における撮像画像の表示変更操作に従って前記撮像装置から送信された撮像画像を前記第１の無線通信手段による無線通信を介して受信する第２の受信手段と、
前記第１の受信手段により前記撮像画像を受信すると、該受信した撮像画像を前記第１の表示部に表示し、前記第２の受信手段により前記撮像画像を受信すると、該受信した撮像画像を前記第１の表示部に表示する第１の表示手段と、
を有し、
前記撮像装置は、
前記無線通信装置と無線通信する第２の無線通信手段と、
第２の表示部と、
撮像手段と、
前記撮像手段により撮像した撮像画像をメモリに記憶する記憶手段と、
前記無線通信装置からの要求に従って前記メモリに記憶されている撮像画像のリストを前記第２の無線通信手段による無線通信を介して前記無線通信装置に提供する提供手段と、
前記無線通信装置の前記要求手段により要求された撮像画像を前記撮像装置に送信する第１の送信手段と、
前記撮像装置における撮像画像の表示変更操作において選択された撮像画像を前記撮像装置に送信する第２の送信手段と、
前記要求手段により要求された撮像画像を前記第１の送信手段により前記撮像装置に送信すると、該撮像画像を前記第２の表示部に表示し、前記表示変更操作において選択された撮像画像を前記第２の送信手段により前記撮像装置に送信すると、該撮像画像を前記第２の表示部に表示する第２の表示手段と、
を有することを特徴とする通信システム。
【請求項２】
前記無線通信装置は、
前記撮像画像リストから選択された撮像画像を前記無線通信装置が記憶しているか否かを判定する判定手段を有し、
前記要求手段は、前記判定手段により前記無線通信装置が前記選択された撮像画像を記憶していないと判定した場合に、前記選択された撮像画像の送信を、前記撮像装置へ要求することを特徴とする請求項１に記載の通信システム。
【請求項３】
前記要求手段は、前記判定手段により前記無線通信装置が前記選択された撮像画像を記憶していると判定した場合、前記選択された撮像画像の送信を前記撮像装置へ要求せず、前記選択された撮像画像の表示を前記撮像装置に要求し、
前記第１の表示手段は、前記選択された撮像画像を前記第１の表示部に表示することを特徴とする請求項２に記載の通信システム。
【請求項４】
前記無線通信装置は、
前記撮像装置から前記取得手段により取得した撮像画像リストを、前記第１の表示部に表示することを特徴とする請求項１から３のいずれか１項に記載の通信システム。
【請求項５】
請求項１乃至請求項４のいずれか１項に記載の通信システムにおける無線通信装置であって、
前記撮像装置と無線通信する第１の無線通信手段と、
第１の表示部と、
前記第１の無線通信手段による無線通信を介して前記撮像装置に記憶されている撮像画像のリストを取得する取得手段と、
前記取得手段により前記撮像装置から取得した前記撮像画像リストから選択された撮像画像を、前記第１の無線通信手段による無線通信を介して前記撮像装置に要求する要求手段と、
前記要求手段による要求に応答して前記撮像装置から送信された撮像画像を前記第１の無線通信手段による無線通信を介して受信する第１の受信手段と、
前記撮像装置における撮像画像の表示変更操作に従って前記撮像装置から送信された撮像画像を前記第１の無線通信手段による無線通信を介して受信する第２の受信手段と、
前記第１の受信手段により前記撮像画像を受信すると、該受信した撮像画像を前記第１の表示部に表示し、前記第２の受信手段により前記撮像画像を受信すると、該受信した撮像画像を前記第１の表示部に表示する第１の表示手段と、
を有することを特徴とする無線通信装置。
【請求項６】
前記撮像画像リストから選択された撮像画像を前記無線通信装置が記憶しているか否かを判定する判定手段を有し、
前記要求手段は、前記判定手段により前記無線通信装置が前記選択された撮像画像を記憶していないと判定した場合に、前記選択された撮像画像の送信を、前記撮像装置へ要求することを特徴とする請求項５に記載の無線通信装置。
【請求項７】
前記要求手段は、前記判定手段により前記無線通信装置が前記選択された撮像画像を記憶していると判定した場合、前記選択された撮像画像の送信を前記撮像装置へ要求せず、前記選択された撮像画像の表示を前記撮像装置に要求し、
前記第１の表示手段は、前記選択された撮像画像を前記第１の表示部に表示することを特徴とする請求項６に記載の無線通信装置。
【請求項８】
前記撮像装置から前記取得手段により取得した撮像画像リストを、前記第１の表示部に表示することを特徴とする請求項５から７のいずれか１項に記載の無線通信装置。
【請求項９】
請求項１乃至請求項４のいずれか１項に記載の通信システムにおける撮像装置であって、
前記無線通信装置と無線通信する第２の無線通信手段と、
第２の表示部と、
撮像手段と、
前記撮像手段により撮像した撮像画像をメモリに記憶する記憶手段と、
前記無線通信装置からの要求に従って前記メモリに記憶されている撮像画像のリストを前記第２の無線通信手段による無線通信を介して前記無線通信装置に提供する提供手段と、
前記無線通信装置の前記要求手段により要求された撮像画像を前記撮像装置に送信する第１の送信手段と、
前記撮像装置における撮像画像の表示変更操作において選択された撮像画像を前記撮像装置に送信する第２の送信手段と、
前記要求手段により要求された撮像画像を前記第１の送信手段により前記撮像装置に送信すると、該撮像画像を前記第２の表示部に表示し、前記表示変更操作において選択された撮像画像を前記第２の送信手段により前記撮像装置に送信すると、該撮像画像を前記第２の表示部に表示する第２の表示手段と、
を有することを特徴とする撮像装置。
【発明の詳細な説明】
【０００１】
【発明の属する技術分野】
本発明は、通信システム、無線通信装置、及び撮像装置に関するものである。
【０００２】
【従来の技術】
近年のインターネットの普及によって、通信機能を備える複数の端末間でのデータ通信、特に、異機種間での通信が容易になり、その中でもケーブルのリプレイスとして考えられた携帯電話機、Ｂｌｕｅｔｏｏｔｈ等の規格によって定められている無線通信の普及が急速に進んでいる。
【０００３】
その中でも、Ｂｌｕｅｔｏｏｔｈに代表されるように近距離・低コストの無線通信においては、２つのデジタルスチルカメラ同士、デジタルスチルカメラとＰＣ、デジタルスチルカメラと携帯電話機等が容易に無線接続可能になり、様々のサービスを提供できるようになっている。
【０００４】
その中で、ユーザの利便性を高める上で、有線通信の場合には必要でなかった機能が、無線通信になると、新たに必要になる等の問題があり、いかにユーザの利便性を高めるかということが目標である。
【０００５】
たとえば、特開平９−２８４６９６号公報に記載されているように、電子スチルカメラ同士の接続を可能とし、通信を指示した電子スチルカメラが、通信を制御するマスタとして動作し、簡単な操作と制御とによって、電子スチルカメラ同士の通信が可能である電子スチルカメラと電子スチルカメラとの間の通信方法を、ケーブル通信または赤外線通信によって提供することが目標である。
【０００６】
【発明が解決しようとする課題】
しかし、上記従来方法では、近年のＢｌｕｅｔｏｏｔｈのように、相手のユーザインタフェースが異なる異機種でも接続可能であり、マスター機器とスレーブ機器とが固定されず、また、赤外線通信以上に距離をおいて通信できる無線通信方法において、たとえば、複数のユーザが、デジタルスチルカメラと携帯電話機との間で画像データをやりとりしたり、画像データを参照する場合に、現在表示部に表示されている画像データが、双方で異なったり、携帯電話側の操作が、デジタルスチルカメラに伝わらない等、意志の疎通を容易にとることができないという問題が有る。つまり、ユーザインタフェースの同期がとれないという問題がある。
【０００７】
すなわち、上記従来例は、無線通信方式に適合した異機種間、特に、無線通信機能を有するデジタルスチルカメラと、携帯電話機との間における操作、表示を、双方で同期させることができず、操作性が低いという問題がある。
【０００８】
本発明は、無線通信方式に適合した異機種間、特に、無線通信機能を有するデジタルスチルカメラと、携帯電話機との間の操作、表示を、双方で同期させ、操作性の高いユーザインタフェースを実現する画像通信システムを提供することを目的とするものである。
【０００９】
【課題を解決するための手段】
本発明は、撮像装置と、無線通信装置と、を含む通信システムであって、前記無線通信装置は、前記撮像装置と無線通信する第１の無線通信手段と、第１の表示部と、前記第１の無線通信手段による無線通信を介して前記撮像装置に記憶されている撮像画像のリストを取得する取得手段と、前記取得手段により前記撮像装置から取得した前記撮像画像リストから選択された撮像画像を、前記第１の無線通信手段による無線通信を介して前記撮像装置に要求する要求手段と、前記要求手段による要求に応答して前記撮像装置から送信された撮像画像を前記第１の無線通信手段による無線通信を介して受信する第１の受信手段と、前記撮像装置における撮像画像の表示変更操作に従って前記撮像装置から送信された撮像画像を前記第１の無線通信手段による無線通信を介して受信する第２の受信手段と、前記第１の受信手段により前記撮像画像を受信すると、該受信した撮像画像を前記第１の表示部に表示し、前記第２の受信手段により前記撮像画像を受信すると、該受信した撮像画像を前記第１の表示部に表示する第１の表示手段とを有し、前記撮像装置は、前記無線通信装置と無線通信する第２の無線通信手段と、第２の表示部と、撮像手段と、前記撮像手段により撮像した撮像画像をメモリに記憶する記憶手段と、前記無線通信装置からの要求に従って前記メモリに記憶されている撮像画像のリストを前記第２の無線通信手段による無線通信を介して前記無線通信装置に提供する提供手段と、前記無線通信装置の前記要求手段により要求された撮像画像を前記撮像装置に送信する第１の送信手段と、前記撮像装置における撮像画像の表示変更操作において選択された撮像画像を前記撮像装置に送信する第２の送信手段と、前記要求手段により要求された撮像画像を前記第１の送信手段により前記撮像装置に送信すると、該撮像画像を前記第２の表示部に表示し、前記表示変更操作において選択された撮像画像を前記第２の送信手段により前記撮像装置に送信すると、該撮像画像を前記第２の表示部に表示する第２の表示手段とを有する。
【００１０】
【発明の実施の形態および実施例】
［第１の実施例］
図１は、本発明の第１の実施例である画像転送システムＩＴＳ１の全体構成を示す図である。
【００１１】
画像転送システムＩＴＳ１は、ローカル通信手段を有する撮像装置としてのデジタルスチルカメラ１００と、携帯端末としての携帯電話３００とを有する。
【００１２】
デジタルスチルカメラ１００と携帯電話３００とは、Ｂｌｕｅｔｏｏｔｈ規格に基づく通信等のスペクトラム拡散方式の無線通信によって、コマンド、撮影画像を含むデータを、相互に送受信可能である。
【００１３】
図２は、上記実施例におけるデジタルスチルカメラ１００の外観的構成を示す図である。
【００１４】
デジタルスチルカメラ１００は、フラッシュ４８と、モードダイアルスイッチ６０と、シャッタスイッチ６２、６４と、単写／連写スイッチ６６と、圧縮モードスイッチ６８と、操作部７０と、メインスイッチ７２と、光学ファインダ１０４と、通信部１１０と、アンテナ１１２と、撮影レンズ１０とを、筺体各部に装備する。
【００１５】
また、デジタルスチルカメラ１００は、スロット１０１を有し、このスロット１０１の中に記録媒体１２０を収容することができる。
【００１６】
携帯電話３００は、マイク３１０と、スピーカ３１８と、通信部３２６と、アンテナ３２８と、通信部３３０と、アンテナ３３２と、表示部３６０と、操作部３６２とを筺体各部に装備する。
【００１７】
また、携帯電話３００はスロット３０１を有し、このスロット３０１の中に記録媒体２００を収容することができる。
【００１８】
図３は、デジタルスチルカメラ１００の内部の電気的構成を示すブロック図である。
【００１９】
デジタルスチルカメラ１００は、保護部１０２と、撮影レンズ１０と、シャッタ１２と、撮像素子１４と、Ａ／Ｄ変換器１６と、タイミング発生回路１８と、画像処理回路２０と、メモリ制御回路２２と、画像表示メモリ２４と、Ｄ／Ａ変換器２６と、画像表示部２８と、メモリ３０と、圧縮・伸長回路３２と、光学ファインダ１０４と、通信部１１０と、アンテナ１１２と、システム制御回路５０と、露光制御部４０と、測距制御部４２と、ズーム制御部４４と、バリア制御部４６と、フラッシュ４８と、電源制御部８０と、コネクタ８２、８４と、電源８６と、メモリ５２と、表示部５４と、不揮発性メモリ５６と、識別情報５８と、モードダイアルスイッチ６０と、シャッタスイッチ６２、６４と、単写／連写スイッチ６６と、圧縮モードスイッチ６８と、操作部７０と、メインスイッチ７２とを備える。
【００２０】
デジタルスチルカメラ１００において、撮影レンズ１０は、被写体の光学像を取り込む。シャッタ１２は、絞り機能を有する。撮像素子１４は、撮影レンズ１０を介して取り込んだ光学像を、電気信号に変換する。Ａ／Ｄ変換器１６は、撮像素子１４から出力されるアナログ信号を、ディジタル信号に変換する。
【００２１】
タイミング発生回路１８は、撮像素子１４と、Ａ／Ｄ変換器１６と、Ｄ／Ａ変換器２６に、クロック信号と制御信号とを供給する回路であり、メモリ制御回路２２とシステム制御回路５０とによって制御される。
【００２２】
画像処理回路２０は、Ａ／Ｄ変換器１６からのデータ、またはメモリ制御回路２２からのデータに対して所定の画素補間処理や色変換処理を行う。また、画像処理回路２０は、撮像された画像データを用いて所定の演算処理を行い、この得られた演算結果に基づいて、システム制御回路５０が露光制御部４０と測距制御部４２とを制御するために、ＴＴＬ（スルー・ザ・レンズ）方式のＡＦ（オートフォーカス）処理と、ＡＥ（自動露出）処理と、ＥＦ（フラッシュプリ発光）処理とを行う。さらに、画像処理回路２０は、撮像された画像データを用いて、所定の演算処理を行い、この得られた演算結果に基づいて、ＴＴＬ方式のＡＷＢ（オートホワイトバランス）処理を実行する。
【００２３】
メモリ制御回路２２は、Ａ／Ｄ変換器１６と、タイミング発生回路１８と、画像処理回路２０と、画像表示メモリ２４と、Ｄ／Ａ変換器２６と、メモリ３０と、圧縮・伸長回路３２とを制御する。Ａ／Ｄ変換器１６から出力されるデータは、画像処理回路２０とメモリ制御回路２２とを介して、または、直接メモリ制御回路２２を介して、画像表示メモリ２４またはメモリ３０に書き込まれる。
【００２４】
画像表示部２８は、ＴＦＴ液晶表示器（ＬＣＤ）によって構成されている。画像表示メモリ２４に書き込まれた表示用の画像データは、Ｄ／Ａ変換器２６を介して、画像表示部２８に表示される。
【００２５】
撮像した画像データを、画像表示部２８に逐次表示することによって、電子ファインダ機能を実現することが可能である。また、画像表示部２８は、システム制御回路５０からの指示に従って、任意に表示をＯＮ／ＯＦＦさせることが可能であり、表示をＯＦＦにした場合、デジタルスチルカメラ１００の電力消費を大幅に低減することができる。
【００２６】
メモリ３０は、撮影した静止画像や動画像を格納するための揮発性メモリおよび／または不揮発性メモリからなるメモリであり、所定枚数の静止画像や所定時間の動画像を格納するために十分な記憶容量を有する。複数枚の静止画像を連続して撮影する連写撮影やパノラマ撮影の場合にも、高速かつ大量の画像書き込みをメモリ３０に行うことが可能である。また、メモリ３０は、システム制御回路５０の作業領域としても使用可能である。
【００２７】
圧縮・伸長回路３２は、適応離散コサイン変換（ＡＤＣＴ）等によって、画像データを圧縮・伸長する回路であり、メモリ３０に格納されている画像データを読み込み、圧縮処理または伸長処理を行い、処理を終えた画像データをメモリ３０に書き込む。
【００２８】
露光制御部４０は、絞り機能を備えるシャッタ１２を制御するものであり、フラッシュ４８と連携することによって、フラッシュ調光機能を有する。測距制御部４２は、撮影レンズ１０のフォーカシングを制御する。ズーム制御部４４は、撮影レンズ１０のズーミングを制御する。
【００２９】
バリア制御部４６は、バリアである保護部１０２の動作を制御する。フラッシュ４８は、ＡＦ補助光の投光機能およびフラッシュ調光機能を有する。露光制御部４０と測距制御部４２とは、ＴＴＬ方式で制御される。撮像した画像データが画像処理回路２０によって演算された演算結果に基づいて、システム制御回路５０は、露光制御部４０と測距制御部４２とを制御する。
【００３０】
また、システム制御回路５０は、デジタルスチルカメラ１００全体を制御する。メモリ５２は、システム制御回路５０の動作用の定数、変数、プログラム等を記憶する。
【００３１】
表示部５４は、システム制御回路５０におけるプログラムの実行に応じて、文字、画像、音声等を用い、動作状態やメッセージ等を表示する液晶表示装置、スピーカ等で構成され、デジタルスチルカメラ１００の操作部近傍の視認し易い位置に、単数または複数設置されている。表示部５４は、たとえば、ＬＣＤやＬＥＤ、発音素子等の組み合わせによって構成されている。また、表示部５４は、その一部の機能が、光学ファインダ１０４内に設置されている。
【００３２】
表示部５４が表示する内容のうちで、ＬＣＤ等に表示されるものとして、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示等がある。
【００３３】
また、表示部５４が表示する内容のうちで、光学ファインダ１０４内に表示するものとして、合焦表示、手振れ警告表示、フラッシュ充電表示、シャッタスピード表示、絞り値表示、露出補正表示等がある。
【００３４】
不揮発性メモリ５６は、電気的に消去・記録可能なメモリであり、ＥＥＰＲＯＭ等が用いられている。識別情報部５８には、通信部１１０とアンテナ１１２とを介して、携帯電話３００と通信を行う際に、通信に先立って認証を行うための各種識別情報が格納されている。
【００３５】
モードダイアルスイッチ６０と、シャッタスイッチ６２、６４と、単写／連写スイッチ６６と、圧縮モードスイッチ６８と、操作部７０と、メインスイッチ７２とは、システム制御回路５０の各種の動作指示を入力するための操作部であり、スイッチ、ダイアル、タッチパネル、視線検知によるポインティングデバイス、音声認識装置等を単数または複数組み合わせて構成されている。
【００３６】
次に、上記各操作部について、より具体的に説明する。
【００３７】
メインスイッチ７２は、電源オンと電源オフとを切り替え、設定することができる。モードダイアルスイッチ６０は、自動撮影モード、撮影モード、パノラマ撮影モード、再生モード、マルチ画面再生・消去モード、ＰＣ（パーソナルコンピュータ）接続モード等の各機能モードに切り替え、設定することができる。
【００３８】
シャッタスイッチＳＷ１（６２）は、シャッタボタン（図示せず）の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３９】
シャッタスイッチＳＷ２（６４）は、シャッタボタン（図示せず）の操作完了でＯＮとなり、撮像素子１４から読み出した信号に基づいて、Ａ／Ｄ変換器１６とメモリ制御回路２２とを介して、画像データをメモリ３０に書き込む露光処理、画像処理回路２０やメモリ制御回路２２における演算を用いた現像処理、メモリ３０から画像データを読み出す読出処理、圧縮・伸長回路３２における圧縮処理、記録媒体２００に画像データを書き込む記録処理という一連の処理の動作開始を指示する。
【００４０】
単写／連写スイッチ６６は、シャッタスイッチＳＷ２（６４）を押した場合、１コマの撮影を行って待機状態とする単写モードと、シャッタスイッチＳＷ２（６４）を押している間、連続して撮影を行い続ける連写モードとを、設定することができる。
【００４１】
圧縮モードスイッチ６８は、ＪＰＥＧ（Ｊｏｉｎｔ  Ｐｈｏｔｏｇｒａｐｈｉｃ  Ｅｘｐｅｒｔｓ  Ｇｒｏｕｐ）圧縮の圧縮率を選択したり、または撮像素子１４の信号をそのままディジタル化し、記録媒体に記録するＣＣＤＲＡＷモードを選択可能である。
【００４２】
操作部７０は、各種ボタンやタッチパネル等によって構成され、メニューボタン、セットボタン、マクロボタン、マルチ画面再生改ページボタン、フラッシュ設定ボタン、セルフタイマボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、再生モード／マイナス画面再生・消去モード／ＰＣ接続モード等の各機能モードを設定可能な再生スイッチを有する。
【００４３】
また、操作部７０は、シャッタスイッチＳＷ１（６２）を押した場合、オートフォーカス動作を開始し、一旦合焦した場合、その合焦状態を保ち続けるワンショットＡＦモードと、シャッタスイッチＳＷ１（６２）を押している間、連続してオートフォーカス動作を続けるサーボＡＦモードとを設定可能なＡＦモード設定スイッチ、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等を有する。
【００４４】
なお、上記プラスボタンとマイナスボタンとの各機能は、回転ダイアルスイッチを備えることによって、より軽快に数値や機能を選択することができる。
【００４５】
電源制御部８０は、電池検出回路、ＤＣ−ＤＣコンバータ、通電するブロックを切り替えるスイッチ回路等によって構成され、電池の装着の有無、電池の種類、電池残量を検出し、検出結果とシステム制御回路５０の指示とに基づいて、ＤＣ−ＤＣコンバータを制御し、必要な電圧を必要な期間、記録媒体を含む各部に供給する。
【００４６】
電源８６は、アルカリ電池やリチウム電池等の一次電池やＮｉＣｄ電池、ＮｉＭＨ電池、Ｌｉ−ｉｏｎ電池等の二次電池、ＡＣアダプタ等によって構成されている。
【００４７】
保護部１０２は、デジタルスチルカメラ１００の撮影レンズ１０を含む撮像部を覆うことによって、撮像部の汚れや破損を防止するバリアである。光学ファインダ１０４は、画像表示部２８による電子ファインダ機能を使用せずに、これだけを用いて撮影可能にするものである。また、光学ファインダ１０４内には、表示部５４の一部の機能、たとえば、合焦表示、手振れ警告表示、フラッシュ充電表示、シャッタスピード表示、絞り値表示、露出補正表示等が設置されている。
【００４８】
通信部１１０は、Ｂｌｕｅｔｏｏｔｈ等のスペクトラム拡散通信による各種近距離高速データ通信機能を有する。アンテナ１１２は、通信部１１０によってデジタルスチルカメラ１００と他の機器との通信回線を接続する。
【００４９】
インタフェース１２８は、メモリカードやハードディスク等の記録媒体とのインタフェースを司る。コネクタ１２７は、メモリカードやハードディスク等の記録媒体との接続を行う。
【００５０】
なお、上記実施例では、記録媒体を取り付けるインタフェースとコネクタとを１系統だけ有するが、記録媒体を取り付けるインタフェースとコネクタとを、複数系統設けるようにしてもよい。また、異なる規格のインタフェースとコネクタとを組み合わせるようにしてもよい。さらに、インタフェースとコネクタとしては、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードや、ＣＦ（コンパクトフラッシュ（登録商標））カード、ＭＭＣ（マルチメディアカード）等の規格に準拠したものを用いるようにしてもよい。
【００５１】
さらに、インタフェース１２８、コネクタ１２７として、ＰＣＭＣＩＡカードやＣＦカード等の規格に準拠したものを用いた場合、ＬＡＮカード、モデムカード、ＵＳＢカード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ（登録商標）等の通信カード等の各種通信カードを接続することによって、他のコンピュータやプリンタ等の周辺機器との間で、画像データや画像データに付属した管理情報を転送し合うことができる。
【００５２】
記録媒体１２０は、メモリカードやハードディスク等によって構成され、半導体メモリや磁気ディスク等によって構成されている記録部１２２と、デジタルスチルカメラ１００とのインタフェース１２４と、デジタルスチルカメラ１００との接続を行うコネクタ１２６と、識別情報部１２９とを有する。
【００５３】
次に、上記実施例における携帯電話３００の内部の電気的構成について説明する。
【００５４】
図４は、携帯電話３００の内部の電気的構成を示すブロック図である。
【００５５】
携帯電話３００は、マイク３１０と、スピーカ３１８と、Ａ／Ｄ変換器３１２と、Ｄ／Ａ変換器３１６と、メモリ制御回路３１４と、メモリ３２０と、Ｄ／Ａ変換器３２２と、画像表示部３２４と、アンテナ３２８と、通信部３２６と、インタフェース３９０と、コネクタ３９２と、アンテナ３３２と、通信部３３０と、通信システム制御回路３５０と、識別情報部３５６と、電源制御部３８０と、コネクタ３８２、３８４と、電源３８６と、メモリ３５２と、不揮発性メモリ３５４と、表示部３６０と、操作部３６２と、着信通知部３６４と、記録媒体着脱検知部３６６とを有する。
【００５６】
マイク３１０は、音声を電気信号に変換する。Ａ／Ｄ変換器３１２は、マイク３１０のアナログ出力信号をディジタル信号に変換する。メモリ制御回路３１４は、Ａ／Ｄ変換器３１２の出力データをメモリ３２０へ書き込み／読み出し、メモリ３２０から読み出されたデータをＤ／Ａ変換器３１６へ入力する制御を実行する。
【００５７】
Ｄ／Ａ変換器３１６は、ディジタル信号をアナログ信号に変換する。スピーカ３１８は、電気信号を音声信号に変換する。メモリ３２０は、マイク３１０で入力した音声および／またはデジタルスチルカメラ１００から送信された静止画像や動画像を格納するものであり、所定時間の音声および／または所定枚数の静止画像、所定時間の動画像を格納するのに十分な記憶容量を有する。
【００５８】
Ｄ／Ａ変換器３２２は、メモリ３２０に格納されている静止画像データや動画像データをアナログ信号に変換する。画像表示部３２４は、Ｄ／Ａ変換器３２２から出力された画像信号を表示する。
【００５９】
通信部３２６は、ＴＤＭＡ（Ｔｉｍｅ  Ｄｉｖｉｓｉｏｎ  ＭｕｌｔｉｐｌｅＡｃｃｅｓｓ：時分割多重）、ＣＤＭＡ（Ｃｏｄｅ  Ｄｉｖｉｓｉｏｎ  Ｍｕｌｔｉｐｌｅ  Ａｃｃｅｓｓ：符号分割多重）、Ｗ−ＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ：広帯域符号分割多重）等の各種遠距離無線通信機能を有する。
【００６０】
アンテナ３２８は、通信部３２６によって、携帯電話３００と他の携帯端末および／または通信基地局との通信回線を接続する。
【００６１】
通信部３３０は、Ｂｌｕｅｔｏｏｔｈ等のスペクトラム拡散通信の各種近距離高速データ通信機能を有する。アンテナ３３２は、通信部３３０によって、携帯電話３００と他の機器との通信回線を接続する。
【００６２】
通信システム制御回路３５０は、携帯電話３００全体を制御する。メモリ３５２は、通信システム制御回路３５０の動作用の定数、変数、プログラム等を記憶する。不揮発性メモリ３５４は、電気的に消去可能なメモリであり、不揮発性メモリ３５４として、たとえばＥＥＰＲＯＭ等が用いられる。
【００６３】
識別情報部３５６には、通信部３３０とアンテナ３３２とを介して、デジタルスチルカメラ１００と通信を行う際、通信に先立って認証を行うための各種識別情報が格納されている。
【００６４】
表示部３６０は、通信システム制御回路３５０におけるプログラムの実行に応じて、文字、画像、音声等を用い、動作状態やメッセージ等を表示する液晶表示装置とスピーカ等によって構成され、携帯電話３００の操作部近辺の視認し易い位置に、単数または複数設置されている。表示部３６０は、たとえばＬＣＤ、ＬＥＤ、発音素子等を組み合わせて構成されている。
【００６５】
操作部３６２は、通信システム制御回路３５０の各種の動作指示を入力するものであり、スイッチ、ダイアル、タッチパネル、視線検知によるポインティングデバイス、音声認識装置等を単数または複数の組み合わせて構成されている。操作部３６２において、携帯電話３００の電源オン／オフ、通話の実行（オフフック）／停止（オンフック）、電話番号入力、電話番号検索、通信モード切り替え、メニュー移動＋（プラス）ボタン、メニュー移動−（マイナス）ボタン、再生画像移動＋（プラス）ボタン、再生画像移動−（マイナス）ボタン等を操作することができる。
【００６６】
着信通知部３６４は、他の携帯端末と通信基地局とから、通話の着信があった場合、呼出し音、発声音、音楽等の音声、および／またはアイコン、動画、静止画、発光等の画像、および／または振動等によって、携帯電話３００の使用者に着信を通知する。
【００６７】
記録媒体着脱検知部３６６は、コネクタ３９２に記録媒体２００が装着されているか否かを検知する。
【００６８】
電源制御部３８０は、電池検出回路、ＤＣ−ＤＣコンバータ、通電するブロックを切り替えるスイッチ回路等によって構成され、電池の装着の有無、電池の種類、電池残量を検出し、その検出結果と通信システム制御回路３５０の指示とに基づいて、ＤＣ−ＤＣコンバータを制御し、必要な電圧を必要な期間、記録媒体を含む各部に供給する。
【００６９】
電源部３８６は、アルカリ電池やリチウム電池等の一次電池、ＮｉＣｄ電池、ＮｉＭＨ電池、Ｌｉ−ｉｏｎ電池等の二次電池、ＡＣアダプタ等によって構成されている。インタフェース３９０は、メモリカードやハードディスク等の記録媒体とのインタフェースを司る。コネクタ３９２は、メモリカードやハードディスク等の記録媒体との接続を行う。
【００７０】
なお、上記実施例では、記録媒体を取り付けるインタフェースとコネクタとを１系統有するが、記録媒体を取り付けるインタフェースとコネクタとを複数系統数有するようにしてもよい。また、異なる規格のインタフェースとコネクタとを組み合わせるようにしてもよい。さらに、インタフェースとコネクタとしては、ＰＣＭＣＩＡ（Ｐｅｒｓｏｎａｌ  Ｃｏｍｐｕｔｅｒ  Ｍｅｍｏｒｙ  ＣａｒｄＩｎｔｅｒｎａｔｉｏｎａｌ  Ａｓｓｏｃｉａｔｉｏｎ）カード、ＣＦ（コンパクトフラッシュ（登録商標））カード、ＭＭＣ（マルチメディアカード）等の規格に準拠したものを用いてもよい。
【００７１】
さらに、インタフェース３９０、コネクタ３９２にＰＣＭＣＩＡカードやＣＦカード等の規格に準拠したものを用いた場合、ＬＡＮカード、モデムカード、ＵＳＢカード、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４カード、Ｐ１２８４カード、ＳＣＳＩ（Ｓｍａｌｌ  Ｃｏｍｐｕｔｅｒ  Ｓｙｓｔｅｍ  Ｉｎｔｅｒｆａｃｅ）カード、ＰＨＳ（登録商標）等の通信カード等の各種通信カードを接続することによって、他のコンピュータやプリンタ等の周辺機器との間で画像データや画像データに付属した管理情報を転送し合うことができる。
【００７２】
記録媒体２００は、メモリカードやハードディスク等によって構成され、半導体メモリや磁気ディスク等によって構成されている記録部２０２と、携帯電話３００とのインタフェース２０４と、携帯電話３００との接続を行うコネクタ２０６と、識別情報部２０８とを有する。
【００７３】
このように、デジタルスチルカメラ１００は、撮影レンズ１０を介して撮像した画像データを、記録媒体１２０に記憶し、通信部１１０とアンテナ１１２とを介して、携帯電話３００に送信する。携帯電話３００は、アンテナ３３２と通信部３３０とを介して受信した画像データを、着脱可能な記録媒体２００に記録するとともに、通信部３２６とアンテナ３２８とを介して、公衆通信網に接続されている他の携帯端末に送信することができる。
【００７４】
次に、上記実施例の具体的な動作について説明する。
【００７５】
図５は、携帯電話３００の動作を示すシーケンス図である。
【００７６】
このシーケンスに示す処理プログラムは、メモリ３５２に格納され、通信システム制御回路３５０内のＣＰＵ（図示せず）によって実行される。
【００７７】
まず、携帯電話３００は、接続したい撮像装置のデバイス選択を行ない（Ｓ４０１）、接続要求をデジタルスチルカメラ１００に送信し、接続手順を行なう（Ｓ４０２）。どのような画像通信に対応しているかという能力確認のネゴシエーションを行ない（Ｓ４０３）、携帯電話３００は、撮像装置の記録媒体１２０にある画像データのリストを、デジタルスチルカメラ１００に要求する（Ｓ４０４）。携帯電話３００は、受信した画像リストを表示し（Ｓ４０５）、操作部３６２を使って、欲しい画像データ（ａ）を選択し（Ｓ４０６）、デジタルスチルカメラ１００に画像データ（ａ）の要求を行なう（Ｓ４０７）。画像データ（ａ）要求を受信したデジタルスチルカメラ１００は、記録媒体１２０から所望の画像データ（ａ）を取り出し、本画像データ（ａ）を表示部５４に表示すると同時に、携帯電話３００へ、画像データ（ａ）を送信する（Ｓ４０８）。
【００７８】
携帯電話３００は、本画像データ（ａ）を受信するとともに、表示部３６０に表示を行なう。この時点で、デジタルスチルカメラ１００の表示部５４と携帯電話３００の表示部３６０とには、同一の画像データ（ａ）が表示される。
【００７９】
また、携帯電話３００は、操作部３６２を利用し、画像データ（ａ）の次のリストにある画像データ（ｂ）を選択し、前回の画像データ（ａ）と同様に、画像データ（ｂ）を取得し、結果デジタルスチルカメラ１００の表示部５４と携帯電話３００の表示部３６０とに、同一の画像データ（ｂ）が表示される。
【００８０】
図６は、図５のシーケンス図に示す画像選択を毎回行ない、しかも、画面に表示されている画像の中から所望の画像を選択可能な携帯電話３００において、画像を選択する動作を示すフローチャートである。
【００８１】
まず、携帯電話３００は、デジタルスチルカメラ１００に、画像ファイルリストを取得する要求を行ない、ファイルリストを取得する（Ｓ５０１）。画像ファイルリストの内容から、１画面に表示可能か否かを判断し（Ｓ５０２）、可能であれば、全画像リストを取得する（Ｓ５０３）。１画面に表示することが不可能であれば、表示可能数の画像データリストを取得し、表示し（Ｓ５０４）、他のリスト情報を記憶する（Ｓ５０５）。
【００８２】
次に、画像ファイル選択画面（Ｓ５０６）に移り、ファイル選択操作を行なう（Ｓ５０７）。選択操作の度に、選択ファイル番号を記憶し（Ｓ５０８）、選択操作が終了したら（Ｓ５０９）、画像登録完了指示をセットする（Ｓ５１０）。
キャンセル操作の場合には（Ｓ５１１）、キャンセル指示を行ない（Ｓ５１２）、キャンセルでなければ、再度ファイル登録操作を行なう（Ｓ５０７）。
【００８３】
図７（１）は、上記実施例において、デジタルスチルカメラ１００が画像を送信する動作を示すフローチャートである。
【００８４】
デジタルスチルカメラ１００は、携帯電話３００からの画像要求受信を待つ（Ｓ６０１）。画像要求を受信したら、表示部５４に要求された画像データを表示し（Ｓ６０２）、前画像データを送信する（Ｓ６０３）。
【００８５】
図７（２）は、上記実施例において、携帯電話３００が画像を受信する動作を表すフローチャートである。
【００８６】
携帯電話３００は、画像データ要求を送信した後に、デジタルスチルカメラ１００が送信する画像データの受信を待つ（Ｓ７０１）。デジタルスチルカメラ１００が送信した画像データを受信したら、この受信した画像データを、処理し（保存やデコード等）（Ｓ７０２）、上記受信画像データを、表示部３６０に表示する（Ｓ７０３）。
【００８７】
これによって、携帯電話３００とデジタルスチルカメラ１００とは、同一の画像を表示することができ、また、携帯端末の表示能力に応じて、画像データ要求を自動的に行なうので、一度の操作によって、表示部に適合する画像データを表示することができるという効果を奏する。
【００８８】
［第２の実施例］
次に、本発明の第２の実施例について説明する。
【００８９】
図８は、本発明の第２の実施例において、デジタルスチルカメラ１００と携帯電話３００との動作を示すシーケンス図である。
【００９０】
まず、携帯電話３００は、接続したい撮像装置のデバイス選択を行ない（Ｓ８０１）、接続要求をデジタルスチルカメラ１００に送信し、接続手順を行なう（Ｓ８０２）。
【００９１】
次に、どのような画像通信に対応しているかという能力確認のネゴシエーションを行ない（Ｓ８０３）、図５に示す場合と同様に、携帯電話３００は、デジタルスチルカメラ１００に、撮像装置の記録媒体１２０にある画像データのリストを要求する（Ｓ４０４）。携帯電話３００は、受信した画像リストを表示し（Ｓ４０５）、操作部３６２を使って、欲しい画像データ（ａ）を選択し（Ｓ４０６）、デジタルスチルカメラ１００に画像データ（ａ）を要求する（Ｓ４０７）。
【００９２】
画像データ（ａ）要求を受信したデジタルスチルカメラ１００は、記録媒体１２０から所望の画像データ（ａ）を取り出し、本画像データ（ａ）を表示部５４に表示すると同時に、携帯電話３００へ、画像データ（ａ）を送信する（Ｓ４０８）。携帯電話３００は、本画像データ（ａ）を受信するとともに、表示部３６０で表示する。この時点で、デジタルスチルカメラ１００の表示部５４と携帯電話３００の表示部３６０とには、同一の画像データ（ａ）が表示され、同時に画像データ（ａ）を保存する（Ｓ８０４）。
【００９３】
さらに、携帯電話３００は操作部３６２を利用し、画像データ（ａ）の次のリストにある画像データ（ｂ）を選択し、前回の画像データ（ａ）の場合と同様に、画像データ（ｂ）を取得し、表示と記録媒体２００への保存とを行なう（Ｓ８０５）。その結果、デジタルスチルカメラ１００の表示部５４と、携帯電話３００の表示部３６０とには、互いに同一の画像データ（ｂ）が表示される。
【００９４】
次に、画像リストから、再度前画像データ（ａ）を選択するが、画像データ（ａ）が記録媒体２００に既に保存されているので、携帯電話３００は、記録媒体２００から画像データを読み出し（Ｓ８０６）、同時に携帯電話３００は、デジタルスチルカメラ１００に、画像データ（ａ）のリモート表示を要求する（Ｓ８０７）。デジタルスチルカメラ１００は、画像データリモート表示を受信し（Ｓ８０８）、記録媒体１２０から画像データ（ａ）を読み出し、表示部５４に画像データ（ａ）を表示する（Ｓ８０９）。
【００９５】
携帯電話３００は、撮像装置からのリモート表示完了を受信し（Ｓ８１０）、表示部３６０に画像データ（ａ）を表示する（Ｓ８１１）。
【００９６】
これによって、デジタルスチルカメラ１００と携帯電話３００とには、同一の画像が表示される。
【００９７】
図９は、第２の実施例において、画像選択動作リストを取得する動作を示すフローチャートである。
【００９８】
図１０は、第２の実施例において、携帯電話３００が登録画像を表示する動作を示すフローチャートである。
【００９９】
選択された画像が、記録媒体２００に既に保存済であるか否かをチェックする（Ｓ１００１）。もし、選択された画像が保存済であれば、記録媒体２００から画像を読み出し（Ｓ１００６）、画像データを表示する（Ｓ１００７）。そして、撮像装置に対して画像データリモート表示要求を送信し（Ｓ１００８）、撮像装置からリモート表示完了が送信されるのを待つ（Ｓ１００９）。
【０１００】
また、選択された画像が保存されていなければ、選択指定画像受信要求を、デジタルスチルカメラ１００に送信し（Ｓ１００２）、デジタルスチルカメラ１００から送信される画像データを受信したら（Ｓ１００３）、受信画像を記録媒体２００に保存し（Ｓ１００４）、表示部３６０に、受信画像データを表示する（Ｓ１００５）。
【０１０１】
図１１は、第２の実施例において、デジタルスチルカメラ１００が、リモート画像表示要求を受信した場合における動作を示すフローチャートである。
【０１０２】
まず、デジタルスチルカメラ１００では、リモート表示要求の受信を待つ（Ｓ１１０１）。受信後、リモート要求の画像データを表示することができるか否かを調べ（Ｓ１１０２）、リモート要求の画像データを表示することが可能であれば、表示部５４に画像データを表示し、不可能であれば、リモート表示失敗を送信する（Ｓ１１０４）。
【０１０３】
第２の実施例によれば、携帯電話３００とデジタルスチルカメラ１００とは、同一の画像を表示し、さらに、携帯端末が既に持っている画像データについて要求せずに、撮像装置側の表示だけを変更するように要求できるので、画像データを要求する時間に対応する時間だけ、画像データを迅速に表示することができるという効果を奏する。
【０１０４】
［第３の実施例］
図１２は、本発明の第３の実施例において、デジタルスチルカメラ１００と携帯電話３００との動作を示すシーケンス図である。
【０１０５】
第３の実施例は、画像データ表示を変更する操作が、デジタルスチルカメラ１００側で、実行される実施例であり、この点が、第１、２の実施例とは異なる。
【０１０６】
まず、携帯電話３００は、接続したい撮像装置のデバイスを選択し、接続要求をデジタルスチルカメラ１００に送信し、接続手順を行なう。
【０１０７】
次に、どのような画像通信に対応しているかという能力確認のネゴシエーションを行ない、図５に示す場合と同様に、携帯電話３００は、デジタルスチルカメラ１００に、撮像装置の記録媒体１２０にある画像データのリストを要求する。
携帯電話３００は、受信した画像リストを表示し、操作部３６２を使って欲しい画像データ（ａ）を選択し（Ｓ４０６）、デジタルスチルカメラ１００に、画像データ（ａ）を要求する。
【０１０８】
画像データ（ａ）要求を受信したデジタルスチルカメラ１００は、記録媒体１２０から、所望の画像データ（ａ）を取り出し、本画像データ（ａ）を表示部５４に表示し、これと同時に、携帯電話３００へ、画像データ（ａ）を送信する（Ｓ４０８）。携帯電話３００は、本画像データ（ａ）を受信するとともに、表示部３６０に表示する。この時点で、デジタルスチルカメラ１００の表示部５４と携帯電話３００の表示部３６０とには、互いに同一の画像データ（ａ）が表示されることになる。
【０１０９】
次にデジタルスチルカメラ１００側で次のイメージ選択が行なわれ（Ｓ１２０５）、画像データ（ｂ）が選択されたとする。この時に、デジタルスチルカメラ１００は、画像データ（ｂ）を表示すると共に、携帯電話３００に送信し、これを受信した携帯電話３００では、受信した画像データ（ｂ）を表示する（Ｓ１２０６）。
【０１１０】
第３の実施例によれば、デジタルスチルカメラ１００と携帯電話３００とが、同一の画像を表示することができる。
【０１１１】
［第４の実施例］
図１３は、本発明の第４の実施例において、複数画像データ表示機能を有する携帯電話３００の動作を示すフローチャートである。
【０１１２】
まず、携帯電話３００は、要求した画像データの受信を待ち（Ｓ１３０１）、受信したら、複数画像を表示することができるか否かを調べる（Ｓ１３０２）。
複数画像を表示することができれば、要求した画像を、表示部３５０の中心に表示し（Ｓ１３０４）、要求した画像データの前の画像リストを、既に保存済であれば（Ｓ１３０５）、上記前の画像リストの画像の左に、要求した画像を表示し（Ｓ１３０６）、また、要求した画像データの次のリストを保存済であれば（Ｓ１３０７）、要求した画像の右に、上記次の画像リストの画像を表示し（Ｓ１３０８）、この結果、要求した画像が常に中心になるようにする。
【０１１３】
第４の実施例によれば、複数表示能力を持つ表示部を有する携帯端末において、要求している画像と、画像を既に受信済であれば他の画像とを、表示するので、ユーザにより多くの情報を与えることができるという効果を奏する。
【０１１４】
また、コンピュータの機能拡張ボードやコンピュータに接続されている機能拡張ユニットに備わるメモリに、供給されたプログラムコードが格納された後に、上記プログラムコードの指示に基づいて、上記機能拡張ボードや機能拡張ユニットに備わるＣＰＵ等が、実際の処理の一部または全部を行い、その処理によって、上記実施例の機能が実現されるようにしてもよい。
【０１１５】
【発明の効果】
本発明によれば、無線通信装置の表示部と撮像装置の表示部とに、互いに同じ画像データが表示されるので、ユーザが全く意識することなく、互いに同じ画像を、２つの装置で見ることができ、したがって、コミュニケーションが円滑に行われるという効果を奏する。
【０１１６】
また、本発明によれば、表示部の表示を変更する際に、既に保存されている画像データを再度要求することが回避されるので、無駄な無線通信が行われることを阻止することができるという効果を奏する。
【図面の簡単な説明】
【図１】本発明の第１の実施例である画像転送システムＩＴＳ１の全体構成を示す図である。
【図２】上記実施例におけるデジタルスチルカメラ１００の外観を示す図である。
【図３】デジタルスチルカメラ１００の内部の電気的構成を示すブロック図である。
【図４】携帯電話３００の内部の電気的構成を示すブロック図である。
【図５】携帯電話３００の動作を示すシーケンス図である。
【図６】図５のシーケンス図に示す画像選択を毎回行ない、しかも、画面に表示されている画像の中から所望の画像を選択可能な携帯電話３００において、画像を選択する動作を示すフローチャートである。
【図７】上記実施例において、デジタルスチルカメラ１００が画像を送信する動作を示すフローチャートであり、上記実施例において、携帯電話３００が画像を受信する動作を表すフローチャートである。
【図８】本発明の第２の実施例において、デジタルスチルカメラ１００と携帯電話３００との動作を示すシーケンス図である。
【図９】第２の実施例において、画像選択動作リストを取得する動作を示すフローチャートである。
【図１０】本発明の第２の実施例において、携帯電話３００が登録画像を表示する動作を示すフローチャートである。
【図１１】第２の実施例において、デジタルスチルカメラ１００が、リモート画像表示要求を受信した場合における動作を示すフローチャートである。
【図１２】本発明の第３の実施例において、デジタルスチルカメラ１００と携帯電話３００との動作を示すシーケンス図である。
【図１３】本発明の第４の実施例において、複数画像データ表示機能を有する携帯電話３００の動作を示すフローチャートである。
【符号の説明】
ＩＴＳ１…画像転送システム、
１００…撮像装置としてのデジタルスチルカメラ、
２８…画像表示部、
１１０…通信部、
１２０…記録媒体、
２００…記録媒体、
３００…携帯端末としての携帯電話、
３６０…表示部。
【図１】
0004574077.tif 000002
【図２】
0004574077.tif 000003
【図３】
0004574077.tif 000004
【図４】
0004574077.tif 000005
【図５】
0004574077.tif 000006
【図６】
0004574077.tif 000007
【図７】
0004574077.tif 000008
【図８】
0004574077.tif 000009
【図９】
0004574077.tif 000010
【図１０】
0004574077.tif 000011
【図１１】
0004574077.tif 000012
【図１２】
0004574077.tif 000013
【図１３】
0004574077.tif 000014